(57)【要約】【課題】暗い所で光を当てると再帰反射性インクで生地表面に描かれた図柄が浮き出され、明るい所では図柄は目立つことが無く、覆い部材で図柄を覆って再帰反射性インクを隠し、自然な外観の衣服を提供する。【解決手段】衣服本体１１を着脱可能に覆う覆い部材１２を有し、衣服本体１１の、覆い部材１２で覆われた部分に、光を当てると再帰反射する再帰反射性インク２０による図柄２２が描かれている。衣服１０はウエディングドレスであり、衣服本体１１の後スカート１８の生地の表面に、図柄２２が描かれている。覆い部材１２は、衣服本体１１の外側に取り付けるオーバースカートであり、図柄２２を透過しない生地で作られ、衣服本体１１に取り付けた時に違和感がなくなじむ形状である。【選択図】図１
0003219629.tif 000002
【実用新案登録請求の範囲】
【請求項１】
使用者が着用する衣服本体と、前記衣服本体を着脱可能に覆う覆い部材が設けられ、前記衣服本体の、前記覆い部材で覆われた部分には、光を当てると再帰反射する再帰反射性インクにより図柄が描かれていることを特徴とする衣服。
【請求項２】
前記衣服はウエディングドレスであり、前記衣服本体の後スカートの生地の表面に前記再帰反射性インクにより前記図柄が描かれ、前記覆い部材は前記衣服本体の外側に取り付けるオーバースカートであり、前記図柄を透過しない生地で作られ、前記衣服本体に取り付けた時に違和感がなくなじむ形状である請求項１記載の衣服。
【請求項３】
前記オーバースカートは、前記衣服本体のウエストから裾までを覆うエプロン形状であり、一方向に長い帯体でありウエストに巻き回すベルト部と、前記ベルト部に取り付けられ着用した時に下方に垂れる覆い布が設けられ、前記ベルト部の長手方向の端部には端部同士を着脱可能に連結する連結部材が設けられている請求項２記載の衣服。
【請求項４】
前記オーバースカートは、前記衣服本体の肩から裾までを覆うドレス形状である請求項２記載の衣服。
【考案の詳細な説明】
【技術分野】
【０００１】
この考案は、暗い場所で光を当てると図柄が明るく浮き出す衣服に関する。
【背景技術】
【０００２】
従来、パーティの演出や、夜間の交通安全対策等として、暗い場所で図柄が明るく浮き出す衣服が考えられている。例えば、特許文献１に開示されているウエディングドレスは、ウエディングドレスの表面に設けられた小花等の装飾体の位置に光学繊維の先端を配置すると共に、ウエディングドレスの内側に光学繊維の収束端を固定し、この収束端の端面に対向する位置に光学繊維の先端を発光させるための光源を設けている。このウエディングドレスによれば、披露宴のキャンドルサービス等、照明を暗くした時に光源により光学繊維の先端を発光させ、ウエディングドレスを光らせる演出をすることができる。
【０００３】
また、特許文献２に開示されている蛍光性及び燐光性を有するレース生地は、混合した蛍光顔料と燐光顔料を、レース素材中に混入、またはレース素材面に印刷・塗布したものである。そのため、明所に於いて、環境からの光を受けた蛍光顔料が鮮明でカラフルな蛍光色を呈し、暗所にあっては、燐光が光を放つようになる。レース生地の主な用途は、テーブルクロス、服地、インテリア用素材として幅広い利用が可能である。このレース生地によれば、パーティの演出としてきれいであり、また照明を消した時や停電した時にはテーブル等の位置を確認する等の実用性もある。
【０００４】
また、特許文献３に開示されている再帰反射性衣服は、再帰反射性インクにより再帰反射性が付与されたメッシュ地からなる再帰反射性生地で作られたものである。メッシュ生地で作られているため、軽量かつコンパクトであり着用感に優れ、夜間には車両のライト光に対して反射することができ安全である。
【０００５】
また、特許文献４に開示されている変色性衣服は、衣服を構成する基材上に、枠線を形成する第一図柄と、フォトクロミックインキを使用した第二図柄と、蓄光剤を使用した第三図柄とを施したものである。フォトクロミックインキを使用した第二図柄部分は、室内において無職であるが、屋外で太陽光からの紫外線を照射させることで、無職から鮮明な色彩を発する。これにより変色性衣服は、日中の紫外線下においては、第一図柄と第二図柄を明確に見ることができ、またまたは暗闇においては、太陽光や照明光を蓄光した第三図柄が自然発光してみることができ、周囲の明るさにより異なったデザインを浮き出させることができる。
【先行技術文献】
【特許文献】
【０００６】
【特許文献１】実開昭５８−３１２１６号公報
【特許文献２】特開昭６２−１０４９８８号公報
【特許文献３】特開２００２−３０９４１６号公報
【特許文献４】特開２００６−２２４５８号公報
【考案の概要】
【考案が解決しようとする課題】
【０００７】
上記背景技術の場合、特許文献１のウエディングドレスは、構造が複雑であり、コストが高く、また重量があるため着用感が良くないものである。特許文献２〜特許文献４は、生地に蓄光性インクや再帰反射性インクを印刷するものであり、構造が簡単で着用感も良好である。しかし、明るい所でも印刷した図柄が薄く視認され、不自然な印象となることもあり、またパーティの演出等で暗くなるまで図柄を隠したい時は不都合である。
【０００８】
この考案は、上記背景技術の問題点に鑑みてなされたものであり、暗い所で光を当てると再帰反射性インクで生地表面に描かれた図柄が浮き出され、明るい所では図柄は目立つことが無く、さらに覆い部材で図柄を覆って再帰反射性インクを隠し、自然な外観となる衣服を提供することを目的とする。
【課題を解決するための手段】
【０００９】
本考案は、使用者が着用する衣服本体と、前記衣服本体を着脱可能に覆う覆い部材が設けられ、前記衣服本体の、前記覆い部材で覆われた部分には、光を当てると再帰反射する再帰反射性インクにより図柄が描かれている衣服である。
【００１０】
前記衣服はウエディングドレスであり、前記衣服本体の後スカートの生地の表面に前記再帰反射性インクにより前記図柄が描かれている。前記覆い部材は前記衣服本体の外側に取り付けるオーバースカートであり、前記図柄を透過しない生地で作られ、前記衣服本体に取り付けた時に違和感がなくなじむ形状である。前記図柄は着用者の希望に合わせたものである。
【００１１】
前記オーバースカートは、前記衣服本体のウエストから裾までを覆うエプロン形状であり、一方向に長い帯体でありウエストに巻き回すベルト部と、前記ベルト部に取り付けられ着用した時に下方に垂れる覆い布が設けられている。前記ベルト部の長手方向の端部には端部同士を着脱可能に連結する連結部材が設けられている。前記連結部材は、バックルや、ボタン、紐体等何でもよい。
【００１２】
前記オーバースカートは、前記衣服本体の肩から裾までを覆うドレス形状であり、前記衣服本体の肩からウエストまでを覆う身頃部と、ウエストから裾までを覆うスカート部が設けられ、前記身頃部と前記スカート部は、ウエストで連結されている。
【考案の効果】
【００１３】
本考案の衣服は、暗い所で光を当てると再帰反射性インクで生地表面に描かれた図柄が浮き出され、明るい所では図柄は目立つことが無く、さらに覆い部材で図柄を覆って再帰反射性インクを隠す。これにより、各種のパーティや結婚式で、照明を暗くする演出の時に、カメラのフラッシュやＬＥＤ照明等の光が当たると、照射された光が再帰反射して衣服の生地に図柄が浮き出て、演出を盛り上げることができ、それ以外の時は自然な外観となる。
【図面の簡単な説明】
【００１４】
【図１】この考案の第一実施形態の衣服の正面図（ａ）と背面図（ｂ）である。
【図２】この考案の第一実施形態の衣服の覆い部材を外して暗い所で光を当てた状態を示す背面図である。
【図３】この考案の第二実施形態の衣服の正面図（ａ）と背面図（ｂ）である。
【考案を実施するための形態】
【００１５】
以下、この考案の実施形態について図面に基づいて説明する。図１はこの考案の第一実施形態を示すもので、この実施形態の衣服１０は、結婚式で新婦が着用するウエディングドレスである。図１（ａ）は前から見た正面図であり、図１（ｂ）は後ろから見た背面図である。衣服１０は、使用者が着用する衣服本体１１と、衣服本体１１を覆う覆い部材１２から成る。
【００１６】
衣服本体１１は、上半身を覆う前身頃１３と後見頃１４と、下半身を覆う前スカート１６と後スカート１８から成り、各々ウエスト部分と脇部分で互いに連結されている。衣服本体１１の後スカート１８の生地の表面には、再帰反射性インク２０で描かれた図柄２２が設けられている。ここで、再帰反射性インク２０について説明する。再帰反射性インク２０には、光を反射させるアルミニウム粒子等の反射材と微細なガラスビーズが、透明な被膜を形成して反射材とガラスビーズを生地に付着させるバインダー樹脂中に含まれている。再帰反射性インク２０は、生地に塗布した時、流動性の差により被膜の表面側にガラスビーズが多く集まり、生地側に反射材が多く集まる。従って、再帰反射性インク２０を塗布して形成した被膜に光を当てると、ガラスビーズに入射した光はガラスビーズにより屈折し反射材に反射し、ガラスビーズに入射してきた方向に再帰反射する。
【００１７】
図柄２２は、自由にデザインするものであり、例えば使用者の結婚に結び付くものでも良い。図柄２２は、再帰反射性インク２０と、布用インク、アクリル絵の具、水彩絵の具等が使用され、手書きでも良く、機械による印刷でも良い。再帰反射性インク２０で描かれた図柄２２は、暗い所でカメラのフラッシュ等の光が当たると反射して図柄２２が光るため浮き出して見える。明るい所では光らないが、再帰反射性インク２０を塗布した部分は被膜となるため、周囲の生地との違いがわかり、図柄２２が薄く見える。衣服１０は、衣服本体１１を覆う覆い部材１２が設けられ、覆い部材１２を取り付けることで雰囲気を変えることができ、さらに図柄２２を覆って見えなくする効果もある。
【００１８】
次に、覆い部材１２について説明する。覆い部材１２は、衣服本体１１のウエストから裾までを覆うエプロン形状のオーバースカートである。覆い部材１２は、ウエストに、背中から巻き回して前側の中心で端部同士を互いに連結するベルト部２４が設けられ、ベルト部２４には、着用した時に下方に垂れる覆い布２６が取り付けられている。覆い布２６は、後スカート１８と、前スカート１６の脇部に連続する部分を覆う扇形であり、前スカート１６及び後スカート１８の裾よりも少し長い。衣服本体１１の外側に着用したときに、後スカート１８に設けられた図柄２２が透過しない生地で作られている。なお、図柄２２が布用インク、アクリル絵の具、水彩絵の具等で描かれて、明るい所で見える場合、図柄２２が確実に隠れる生地が好ましいが、図柄２２を見せたい場合には逆に少し透過するような生地の例えばオーガンジーやシフォン等で作られてもよい。ベルト部２４の、身体の前中心に位置する端部には、互いに結んで連結する紐体２８が各々設けられている。紐体２８は、リボン等きれいなもので作られている。
【００１９】
次に、衣服１０の使用方法について説明する。先ず、使用者が衣服本体１１を着用する。衣服本体１１の後スカート１８には、再帰反射性インク２０により描かれた図柄２２が明るい所でも薄く視認される。衣服本体１１の外側に、覆い部材１２を取り付ける。覆い部材１２は、ウエストにベルト部２４を背中から巻き回し、身体の前中心で一対の紐体２８をリボン結びで連結する。ベルト部２４は環状になりウエストに取り付けられる。また、紐体２８は装飾の一部となる。覆い布２６はベルト部２４から下方に垂れて、前スカート１６と後スカート１８の外側に違和感なく取り付けられ、図柄２２を透過しない生地で作られているため図柄２２を隠す。
【００２０】
そして、結婚式で会場を暗くする演出の時に、図２に示すように覆い部材１２を取り外す。すると、衣服本体１１のみとなり、図柄２２が露出する。撮影のために、カメラ３０のフラッシュが当たると、再帰反射性インク２０で光が反射し、図柄２２が鮮明に浮き出て見えるとともに明瞭に撮影される。また、ＬＥＤ照明で継続的に光を当てると、再帰反射により継続的に図柄２２を浮き出させることができ、光源側から図柄２２をゆっくりと見ることができ、動画の撮影も行うことができる。
【００２１】
この考案の衣服１０によれば、暗い所でＬＥＤ照明等により一方向から光を当てると、再帰反射性インク２０により生地表面に描かれた図柄２２が再帰反射して浮き出るため、特徴的な演出をすることができ、雰囲気を盛り上げることができる。カメラのフラッシュの場合、光が発した方向に再帰反射するため、図柄２２を確実に光らせてそのカメラのみが鮮明に撮影することができる。蓄光インクのように経時変化することが無く、光を当てるとその都度鮮明な図柄２２を浮き出させることができる。特に、図柄２２が使用者の結婚に結び付くものであれば、結婚式の記念に残るものとなる。衣服１０をオーダーメイドする場合、他のドレスとの差別化を図り、特別な感じを持つことができ、付加価値を高めることができる。明るい所では図柄２２が光ることがなく、暗くする演出が始まるまで知られることが無い。図柄２２が光らなくても、再帰反射性インク２０を塗布した部分は周囲の生地との違いから図柄２２の形状が薄くわかるが、衣服本体１１を覆う覆い部材１２を取り付けることで図柄２２を自然に隠すことができる。覆い部材１２は、衣服本体１１の一部のように見える自然なデザインであり、衣服本体１１の雰囲気を壊すことが無く、違和感がなく、また衣服本体１１の印象を変えることもできる。覆い部材１２は、エプロン形状であり、紐体２８を結んだり解いたりする簡単な操作で着脱することができる。
【００２２】
次にこの考案の第二実施形態について図３に基づいて説明する。なお、ここで、上記実施形態と同様の部材は同様の符号を付して説明を省略する。この実施形態の衣服３２は、結婚式で新婦が着用するウエディングドレスである。図３（ａ）は前から見た正面図であり、図３（ｂ）は後ろから見た背面図である。衣服３２は、使用者が着用する衣服本体１１と、衣服本体１１を覆う覆い部材３４から成る。衣服本体１１の後スカート１８の生地の表面には、再帰反射性インク２０で描かれた図柄２２が設けられている。
【００２３】
覆い部材３４は、肩から裾までを覆うドレス形状のオーバースカートである。覆い部材３４は、肩からウエストまでを覆う身頃部３４ａと、ウエストから裾までを覆う円錐形のスカート部３４ｂが設けられ、身頃部３４ａとスカート部３４ｂはウエスト部３４ｃで連結されている。覆い部材３４の色やデザインは自由であり、衣服本体１１の図柄２２を覆うもので、図柄２２が透過しない生地で作られたものであれば良い。覆い部材３４の背中側や脇部分に、着脱用のファスナーやホックが設けられてもよい。
【００２４】
この考案の衣服３２は、上記実施の形態と同様の使用方法であり、同様の効果を有するものである。覆い部材３４はドレス形状であるため、衣服本体１１をほぼ覆うことができ、覆い部材３４を取り外したときに異なるドレスに着替えたような大幅なデザインの変化をすることができ、そこに図柄２２が浮き出し、二つのサプライズ効果が期待できる。
【００２５】
なお、この考案の衣服は、上記実施の形態に限定されるものではなく、ウエディングドレス以外の色々な衣服に使用することができる。衣服本体と覆い部材のデザインは、襟や袖のあるものやスカートが短いもの、装飾用の部品が取り付けられたもの等、自由に変更可能である。また図柄のデザインも自由であり、図柄を設ける数や位置等も自由である。
【符号の説明】
【００２６】
１０，３２  衣服
１１  衣服本体
１２，３４  覆い部材
１８  後スカート
２０  再帰反射性インク
２２  図柄
２４  ベルト部
２６  覆い布
２８  紐体
【図１】
0003219629.tif 000003
【図２】
0003219629.tif 000004
【図３】
0003219629.tif 000005